(57)【要約】 【課題】ディジタル情報のダウンロードと購入とのタイミングの自由度が高い電子商取引方法を提供する。【解決手段】決済サーバ装置１０４は、提供サーバ装置１０３から提供されるディジタル情報に対する暗号化鍵と復号化鍵を生成し、提供サーバ装置１０３は、ディジタル情報を暗号化鍵により暗号化して、インターネット１０５を介して端末装置１０２に提供し、端末装置１０２が決済サーバ装置１０４に対して購入を行うと決済サーバ装置１０４から復号化鍵を取得でき、端末装置１０２は、取得された復号化鍵を用いて暗号化されたディジタル情報を復号化する。【選択図】図１
2007249621.tif 000002
【特許請求の範囲】
【請求項１】
提供サーバ装置、決済サーバ装置、端末装置により実行される電子取引方法であって、
（ａ）前記提供サーバ装置が、
提供するディジタル情報に対応付けられる識別符号を指定する暗号化鍵要求を前記決済サーバ装置に送信する暗号化鍵要求送信工程
を備え、
（ｂ）前記決済サーバ装置が、
前記提供サーバ装置から送信された識別符号を指定する暗号化鍵要求を受信する暗号化鍵要求受信工程、
当該暗号化鍵要求に指定される識別符号に対応付けられる暗号化鍵と復号化鍵とを生成する鍵生成工程、
当該識別符号と、当該識別符号に対応付けられて前記生成された復号化鍵とを記憶する復号化鍵記憶工程、
当該暗号化鍵要求に対応付けられ、前記生成された暗号化鍵を指定する暗号化鍵応答を前記提供サーバ装置に送信する暗号化鍵応答送信工程、
をさらに備え、
（ｃ）前記提供サーバ装置が、
前記決済サーバ装置から送信された暗号化鍵応答に指定される暗号化鍵によって当該提供すべきディジタル情報を暗号化したものと、当該ディジタル情報に対応付けられる識別符号と、を、コンピュータ通信網もしくは他のコンピュータを介して、前記端末装置に、同時にもしくは独立に提供する暗号化ディジタル情報提供工程、
をさらに備え、
（ｄ）前記端末装置が、
前記提供サーバ装置からコンピュータ通信網もしくは他のコンピュータを介して提供される当該暗号化されたディジタル情報と、当該暗号化されたディジタル情報に対応付けられる識別符号と、を、同時にもしくは独立に受け入れる暗号化ディジタル情報受入工程、
当該識別符号を指定する購入要求を前記決済サーバ装置に送信する購入要求送信工程、
をさらに備え、
（ｅ）前記決済サーバ装置が、
前記端末装置から送信された購入要求を受信する購入要求受信工程、
当該購入要求を承認した場合、当該購入要求に指定される識別符号に対応付けられて鍵記憶部に記憶される復号化鍵を取得する復号化鍵取得工程、
当該識別符号に対応付けられ、前記取得された復号化鍵を指定する購入応答を、前記端末装置に送信する購入応答送信工程、
をさらに備え、
（ｆ）前記端末装置が、
前記決済サーバ装置から送信された購入応答を受信する購入応答受信工程、
前記受信された購入応答に指定された復号化鍵により、当該暗号化されたディジタル情報を復号化する復号化工程
をさらに備えることを特徴とする電子商取引方法。
【請求項２】
請求項１に記載の電子取引方法であって、当該電子取引方法は、さらに、販売者装置により実行され、
（ｇ）前記販売者装置が、
前記決済サーバ装置から送信された暗号化鍵応答に指定される暗号化鍵によって当該提供すべきディジタル情報を暗号化して、当該暗号化されたディジタル情報を前記提供サーバ装置に提供させるために当該提供サーバ装置に送信する暗号化送信工程
をさらに備え、
（ｈ）前記決済サーバ装置が、当該購入応答の送信の履歴を前記販売者装置に送信する履歴送信工程
をさらに備え、
（ｉ）前記販売者装置が、前記決済サーバ装置から送信された購入応答の送信の履歴を受信する履歴受信工程、
前記受信された購入応答の送信の履歴を表示する履歴表示工程
をさらに備えることを特徴とする電子取引方法。
【発明の詳細な説明】
【技術分野】
【０００１】
本発明は、ディジタル情報のダウンロードと購入とのタイミングの自由度が高い電子商取引方法に関する。
【背景技術】
【０００２】
従来から、画像情報、音声情報、動画情報、ゲーム情報などのディジタル情報をインターネット経由で提供する電子商取引システムが提案されている。このような電子商取引システムに関する技術は、以下の文献に開示されている。
【特許文献１】特許第３４９４９７１号公報
【０００３】
[特許文献１]に開示の技術では、購入の決済が終了した後になって初めて、ユーザの端末装置にディジタル情報が提供される電子商取引システムが開示されている。
【発明の開示】
【発明が解決しようとする課題】
【０００４】
しかしながら、画像情報、音声情報、動画情報、ゲーム情報等のディジタル情報はサイズが大きくなることもあり、ミラーリングして種々のサーバからいずれかを選択して、ユーザにダウンロードさせたいことも多い。
【０００５】
このような場合、購入の決済が終了して初めてダウンロードができるようなシステムでは、ミラーサーバを適宜追加することが難しくなってしまうこともある。
【０００６】
また、購入のタイミングとダウンロードのタイミングをずらしたい、という要望も大きい。
【０００７】
このほか、販売者側は、自己の管理下でディジタル情報を販売できるようにしたい、という要望もある。
【０００８】
本発明は、これらの課題を解決するものであって、ディジタル情報のダウンロードと購入とのタイミングの自由度が高い電子商取引方法を提供することを目的とする。  
【課題を解決するための手段】
【０００９】
以上の目的を達成するため、本発明の原理にしたがって、下記の発明を開示する。
【００１０】
本発明の第１の観点に係る電子商取引方法は、提供サーバ装置、決済サーバ装置、端末装置により実行され、具体的には、以下のように構成する。
【００１１】
まず、提供サーバ装置が、提供するディジタル情報に対応付けられる識別符号を指定する暗号化鍵要求を決済サーバ装置に送信する暗号化鍵要求送信工程を備える。
【００１２】
一方、決済サーバ装置が、提供サーバ装置から送信された識別符号を指定する暗号化鍵要求を受信する暗号化鍵要求受信工程、当該暗号化鍵要求に指定される識別符号に対応付けられる暗号化鍵と復号化鍵とを生成する鍵生成工程、当該識別符号と、当該識別符号に対応付けられて生成された復号化鍵とを記憶する復号化鍵記憶工程、当該暗号化鍵要求に対応付けられ、生成された暗号化鍵を指定する暗号化鍵応答を提供サーバ装置に送信する暗号化鍵応答送信工程をさらに備える。
【００１３】
さらに、提供サーバ装置が、決済サーバ装置から送信された暗号化鍵応答に指定される暗号化鍵により当該提供すべきディジタル情報を暗号化したものと、暗号化されたディジタル情報と、当該ディジタル情報に対応付けられる識別符号と、を、コンピュータ通信網もしくは他のコンピュータを介して、端末装置に、同時にもしくは独立に提供する暗号化ディジタル情報提供工程をさらに備える。
【００１４】
そして、端末装置が、提供サーバ装置からコンピュータ通信網もしくは他のコンピュータを介して提供される当該暗号化されたディジタル情報と、当該暗号化されたディジタル情報に対応付けられる識別符号と、を、同時にもしくは独立に受け入れる暗号化ディジタル情報受入工程、当該識別符号を指定する購入要求を決済サーバ装置に送信する購入要求送信工程をさらに備える。
【００１５】
一方、決済サーバ装置が、端末装置から送信された購入要求を受信する購入要求受信工程、当該購入要求を承認した場合、当該購入要求に指定される識別符号に対応付けられて鍵記憶部に記憶される復号化鍵を取得する復号化鍵取得工程、当該識別符号に対応付けられ、取得された復号化鍵を指定する購入応答を、端末装置に送信する購入応答送信工程をさらに備える。
【００１６】
さらに、端末装置が、決済サーバ装置から送信された購入応答を受信する購入応答受信工程、受信された購入応答に指定された復号化鍵により、当該暗号化されたディジタル情報を復号化する復号化工程をさらに備える。
【００１７】
また、本発明の電子取引方法は、さらに、販売者装置により実行され、以下のように構成することができる。
【００１８】
すなわち、販売者装置が、決済サーバ装置から送信された暗号化鍵応答に指定される暗号化鍵によって当該提供すべきディジタル情報を暗号化して、当該暗号化されたディジタル情報を提供サーバ装置に提供させるために当該提供サーバ装置に送信する暗号化送信工程をさらに備える。
【００１９】
一方、決済サーバ装置が、当該購入応答の送信の履歴を販売者装置に送信する履歴送信工程をさらに備える。
【００２０】
さらに、販売者装置が、決済サーバ装置から送信された購入応答の送信の履歴を受信する履歴受信工程、受信された購入応答の送信の履歴を表示する履歴表示工程をさらに備える。
【００２１】
本発明のその他の観点に係るプログラムは、コンピュータに、上記提供サーバ装置が実行する各工程を実行させる。
【００２２】
本発明のその他の観点に係るプログラムは、コンピュータに、上記決済サーバ装置が実行する各工程を実行させる。
【００２３】
本発明のその他の観点に係るプログラムは、コンピュータに、上記端末装置が実行する各工程を実行させる。
【００２４】
これらのプログラムは、コンパクトディスク、フレキシブルディスク、ハードディスク、光磁気ディスク、ディジタルビデオディスク、磁気テープ、または、半導体メモリとすることができ、コンピュータ通信網を介して伝送・配布することができる。
【発明の効果】
【００２５】
本発明によれば、ディジタル情報のダウンロードと購入とのタイミングの自由度が高い電子商取引方法を提供することができる。
【発明を実施するための最良の形態】
【００２６】
以下に本発明の実施形態を説明する。なお、以下に説明する実施形態は説明のためのものであり、本発明の範囲を制限するものではない。したがって、当業者であればこれらの各要素もしくは全要素をこれと均等なものに置換した実施形態を採用することが可能であるが、これらの実施形態も本発明の範囲に含まれる。
【実施例１】
【００２７】
本実施例では、理解を容易にするため、ユーザが使用する端末装置を「購入者」あるいは「お客様」、ディジタル情報を提供する提供サーバ装置とディジタル情報の暗号化や購入履歴の閲覧を行う販売者装置とをまとめて「出店者」、購入の決済などを行う決済サーバ装置を「デジマーケット」と呼ぶこととする。
【００２８】
提供サーバ装置自体の所有や管理は、実際にディジタル情報の販売を行う出店者とは異なる者が行っても良い。現実にも、ボランティアで暗号化されたディジタルデータをダウンロードできるように準備しているミラーサーバ等のウェブサイトは多数あり、このようなミラーサーバ等を提供サーバ装置として利用することができる。また、提供サーバ装置の所有や管理を出店者自身が行うことも可能である。
【００２９】
提供サーバ装置の管理者は、出店者本人に協力する関係にある者と考えることもできるため、以下では、両者をまとめて「出店者」として説明する。また、「出店者」は、ディジタル情報の販売を行う者であるからいわゆる「販売者」にも該当する。
【００３０】
図１は、電子商取引が行われるシステムの概要を示す説明図である。以下、本図を参照して説明する。
【００３１】
電子商取引方法は、インターネット１０５を介して通信可能に接続される端末装置（購入者／お客様）１０２、提供サーバ装置（出店者またはその協力者）１０３、決済サーバ装置（デジマーケット）１０４、販売者装置（出店者）１０６、を備える電子商取引システム１０１ににおいて実行される。具体的には、以下の手順による。
【００３２】
まず、提供サーバ装置１０３が、提供するディジタル情報に対応付けられる識別符号を指定する暗号化鍵要求を決済サーバ装置１０４に送信する。
【００３３】
次に、決済サーバ装置１０４が、提供サーバ装置１０３から送信された識別符号を指定する暗号化鍵要求を受信する。
【００３４】
さらに、決済サーバ装置１０４が、当該暗号化鍵要求に指定される識別符号に対応付けられる暗号化鍵と復号化鍵とを生成する。
【００３５】
そして、決済サーバ装置１０４が、当該識別符号と、当該識別符号に対応付けられて生成された復号化鍵とを記憶する。
【００３６】
一方、決済サーバ装置１０４が、当該暗号化鍵要求に対応付けられ、生成された暗号化鍵を指定する暗号化鍵応答を提供サーバ装置１０３に送信する。
【００３７】
ここで、提供サーバ装置１０３は、販売者装置１０６が決済サーバ装置１０４から送信された暗号化鍵応答に指定される暗号化鍵によって当該ディジタル情報を暗号化した結果を、当該販売者装置１０６との通信によってあらかじめ蓄積している。
【００３８】
そして、提供サーバ装置１０３が、暗号化されたディジタル情報と、当該ディジタル情報に対応付けられる識別符号と、を、コンピュータ通信網もしくは他のコンピュータを介して、端末装置１０２に、同時にもしくは独立に提供する。
【００３９】
一方、端末装置１０２が、提供サーバ装置１０３からコンピュータ通信網もしくは他のコンピュータを介して提供される当該暗号化されたディジタル情報と、当該暗号化されたディジタル情報に対応付けられる識別符号と、を、同時にもしくは独立に受け入れる。
【００４０】
さらに、端末装置１０２が、当該識別符号を指定する購入要求を決済サーバ装置１０４に送信する。
【００４１】
そして、決済サーバ装置１０４が、端末装置１０２から送信された購入要求を受信する。
【００４２】
さらに、決済サーバ装置１０４が、当該購入要求を承認した場合、当該購入要求に指定される識別符号に対応付けられて鍵記憶部に記憶される復号化鍵を取得する。
【００４３】
一方、決済サーバ装置１０４が、当該識別符号に対応付けられ、取得された復号化鍵を指定する購入応答を、端末装置１０２に送信する。
【００４４】
さらに、端末装置１０２が、決済サーバ装置１０４から送信された購入応答を受信する。
【００４５】
そして、端末装置１０２が、受信された購入応答に指定された復号化鍵により、当該暗号化されたディジタル情報を復号化する。
【００４６】
以下さらに、各装置において行われる処理を説明する。
【００４７】
図２は、出店者が新たなディジタル情報を商品として登録する際の処理の様子を示す説明図である。以下、本図を参照して説明する。
【００４８】
出店者が新たなディジタル情報からなる商品を登録する場合には、販売者装置１０６にて、デジマーケットから提供されるアプリケーション「スタートアップキット」を使用し、商品を登録する。すると、商品の識別符号を含む商品情報が、デジマーケットに送信される（ステップＳ１０１）。
【００４９】
デジマーケットでは、商品別の暗号化鍵と復号化鍵を生成して、識別符号に対応付けて復号化鍵を記憶し暗号化鍵を出店者に送信する（ステップＳ１１１）。
【００５０】
出店者は、販売者装置１０６にて、暗号化鍵を受信して、提供したいディジタル情報をその暗号化鍵で暗号化する（ステップＳ１０２）。
【００５１】
そして、販売者装置１０６は、暗号化したディジタル情報からなる商品ファイルを、識別符号とともに、レンタルサーバなどの各種ミラーサーバ等の提供サーバ装置１０３に転送する（ステップＳ１０３）。
【００５２】
図３は、購入者がディジタル情報を購入する際の処理の様子を示す説明図である。以下、本図を参照して説明する。
【００５３】
出店者が暗号化されたディジタル情報からなる商品ファイルを用意して、各種ミラーサーバ等の提供サーバ装置１０３から、典型的には匿名でダウンロード可能にしておく（ステップＳ２０１）。
【００５４】
購入者は、商品ファイルを、いずれかのミラーサーバ等の提供サーバ装置１０３からダウンロードするが（ステップＳ２１１）、この際には決済は不要である。
【００５５】
実際に決済を行うには、商品ファイルに対応付けられる識別符号を、ステップＳ２１１と同時に、あるいは、個別に入手し、その識別符号によって、デジマーケットからライセンス番号を購入する（ステップＳ２１２、Ｓ２２１）。なお、ここでいう「ライセンス番号」は、いわゆる識別記号と認証用の符号の組合せに相当するものであり、必ずしも数字列に限られるわけではなく、任意の文字列やこれと数字列の組合せを採用することができる。したがって、いわゆる「ライセンスキー」も「ライセンス番号」に該当する。以下、および図面の説明では、特に混乱のない限り「ライセンス番号」を、適宜「ライセンス」と呼ぶこととする。
【００５６】
本実施形態では、ディジタル情報を暗号化した結果生成される商品ファイルは実行可能ファイルになっており、当該商品ファイルを実行すると、
（ａ）ライセンス番号を入力するよう、ユーザに求め、ライセンス番号が入力されたら、それをデジマーケットに送信する（ステップＳ２１３）。
（ｂ）デジマーケットは、ライセンス番号を受信すると、正規のライセンスであるか否かを確認し、正常であれば復号化鍵を購入者の端末装置に送信する（ステップＳ２２２）。
（ｃ）当該プログラムは、復号化鍵を受信すると、当該復号化鍵を使用して、暗号化されているディジタル情報を復号化する（ステップＳ２１４）。
【００５７】
このようにして、ミラーサーバからの商品ファイルのダウンロードのタイミングと、ライセンス番号の購入のタイミングとの自由度を増すことができるのである。
【００５８】
図４は、出店者がデジマーケットとの提携を始める際の処理の様子を示す説明図である。以下、本図を参照して説明する。
【００５９】
出店者がデジマーケットとの提携を始める際に、スタートアップキットを販売者装置１０６上で実行すると、当該プログラムは、まず、動作環境の確認を行い（ステップＳ３０１）、使用許諾契約（利用同意契約）を画面に表示する（ステップＳ３０２）。そして、契約に同意するか否かを問い合わせ（ステップＳ３０３）、同意しない場合（ステップＳ３０３；Ｎｏ）、処理を終了する。
【００６０】
一方、同意する場合（ステップＳ３０３；Ｙｅｓ）、出店者のユーザ情報をデジマーケットに対して登録する（ステップＳ３０４）。具体的には、ユーザ情報をデジマーケットが持つデータベースサーバ（ＤＢサーバ）に登録するとともに（ステップＳ３０５）、ＤＢサーバを管理する管理ＰＣでは、ＤＢサーバに必要な情報のみを残し、それ以外の情報は移動する（ステップＳ３０６）。
【００６１】
また、出店者が購入の際のホームページ転送設定を行い（ステップＳ３０７）、その情報がデジマーケットのＤＢサーバに登録されて（ステップＳ３０８）、通常利用が開始される。
【００６２】
なお、ホームページの転送設定は、独立した工程として用意するのではなく、ユーザ情報の入力の際（ステップＳ３０４）に同時に設定することとしても良い。
【００６３】
図５は、出店者が新たなディジタル情報を商品として登録する際の処理の詳細を示す説明図である。以下、本図を参照して説明する。
【００６４】
商品登録の際に、販売者装置１０６にて、スタートアップキットのプログラムは、ＤＢサーバに更新を開始する旨を通知する（ステップＳ４０１）。すると、デジマーケットは、新規決済をすべて停止する（ステップＳ４２１）。
【００６５】
次に、スタートアップキットにより、削除する商品をＤＢサーバに通知するとともに、削除までの猶予期間がある商品については、その猶予期間を出店者に設定させる（ステップＳ４０２）。すると、ＤＢサーバでは、削除する商品を決済不可商品とする（ステップＳ４２２）。この際に、削除の猶予期間の設定もＤＢサーバ側で行う。ＤＢサーバは、猶予期間が経過すると、当該商品を決済不可とする（図示せず）。
【００６６】
さらに、スタートアップキットは、削除猶予期間が過ぎた商品を自身が使用するレンタルサーバ等から削除する（ステップＳ４０３）。
【００６７】
なお、猶予期間の設定については、必ずしも機能として設ける必要はない。
【００６８】
そして、スタートアップキットは、新たな商品に関する商品情報をデジマーケットに送信し（ステップＳ４０４）、デジマーケットでは、商品情報を登録待ちの状態にして（ステップＳ４２３）、鍵の生成を行い（ステップＳ４２４）、スタートアップキットに暗号化鍵を送信する。
【００６９】
新規商品の暗号化鍵を受信した（ステップＳ４０５）スタートアップキットは、ディジタル情報の暗号化を行い（ステップＳ４０６）、これを暗号化されたディジタル情報からなる商品ファイルをレンタルサーバ等に登録する（ステップＳ４０７）。この際には、商品となりデータそのもののほか、販売が行われるページのＵＲＬ等の登録も行われる。
【００７０】
そして、ここまでの処理が正常にできたことを確認し（ステップＳ４０８）、正常にできた場合（ステップＳ４０８；Ｙｅｓ）、デジマーケット（図中では「ＤＬ屋」と表記されている。）にその旨を通知すると（ステップＳ４１０）、デジマーケットでは商品情報の正式な登録を行い、決済受付可能状態とする（ステップＳ４２５）。
【００７１】
一方、異常終了の場合（ステップＳ４０８；Ｎｏ）、その旨を出店者にして、再度処理やり直すように促す（ステップＳ４０９）。
【００７２】
図６は、購入者（お客様）がディジタル情報を購入する際の処理の詳細を示す説明図である。以下、本図を参照して説明する。
【００７３】
まず、購入者（お客様）が出店者のホームページを見る（ステップＳ５０１）。すると、商品ファイルが置かれているミラーサーバへのリンクが張られているので、当該リンクをクリックすると、ミラーサーバから商品ファイルがダウンロードされる（ステップＳ５０２）。
【００７４】
さて、出店者のホームページに記載されている指示にしたがってダウンロードとは別個にライセンス番号を購入するか、あるいは、ダウンロード後にこの商品ファイルを実行するとライセンス番号を購入するよう促されるのでそれに従うか、により、デジマーケットからライセンス番号を購入しようとする（ステップＳ５０３）。
【００７５】
デジマーケットでは、出店者の商品一覧からどれを購入したいかを選択させるとともに（ステップＳ５２１）、購入者のメールアドレスを入力させる（ステップＳ５２２）。
【００７６】
この商品一覧からの選択は、購入者が自発的に行うこととしても良いし、商品ファイルの実行により自動的に情報がやりとりされて、当該実行された商品ファイルに対応するものが選択されることとしても良い。
【００７７】
購入者がメールアドレスを確認し（ステップＳ５０６）、画面に表示されるレジボタンを押すと（ステップＳ５０７）、デジマーケットのクレジットカード決済管理を行う機能要素（いわゆる「電子決済システム」や「ＥＣ決済サービス」に相当する。）が、購入者にクレジットカード番号を入力させ（ステップＳ５３１）、支払い確認を行わせる（ステップＳ５３２）。
【００７８】
購入者がカード情報を確認して（ステップＳ５０５）、画面に表示される支払いを行うためのレジボタンを押すと（ステップＳ５０７）、電子決済システムは支払いを完了させ（ステップＳ５３３）、その旨をデジマーケットのライセンス番号の発行機能要素に通知し（ステップＳ５３４）、デジマーケットは、メールでライセンス番号（典型的には、１０桁の英数字を用いる。）を通知したり、ウェブサイトの画面にライセンス番号を表示するなどする（ステップＳ５２３）。
【００７９】
なお、メールによる通知を行わない場合は、メールアドレスの入力は必要ない。
【００８０】
このようにして、購入者がライセンス番号を取得した後（ステップＳ５０８）、商品ファイルの実行によるライセンス番号入力のプロンプトに対して、ライセンス番号を入力すると（ステップＳ５０９）、入力されたライセンス番号がデジマーケットに送信され、デジマーケットでは、購入者のメールアドレスおよびライセンス番号が発行済みのものと一致するか否か、等により、ライセンス番号を確認し（ステップＳ５２４）、ライセンス番号が正しいか否かを判断する（ステップＳ５２５）。
【００８１】
正しい場合（ステップＳ５２５；Ｙｅｓ）、復号化鍵を購入者に送信すると（ステップＳ５２６）、商品ファイルは暗号化されたディジタル情報を復号化して（ステップＳ５１０）、本処理を終了する。
【００８２】
一方、正しくない場合（ステップＳ５２５；Ｎｏ）、お客様に対してライセンス番号の購入を促して（ステップＳ５２７）、本処理を終了する。
【００８３】
なお、メールアドレスは使用せずに、単にライセンス番号が有効なものであるか否かを何らかの手法により確認することとしても良い。
【００８４】
図７は、出店者がデジマーケットに決済の状況を確認する際の処理の様子を示す説明図である。
【００８５】
販売者装置１０６にてスタートアップキットから通常利用を行い、決済された状況を確認するメニューを選択すると（ステップＳ６０１）、決済情報（購入応答の履歴、すなわち、売上げ情報に相当する。）をデジマーケットに要求し、その情報を取得する（ステップＳ６０２）。そして、決済情報が出店者のコンピュータの画面に表示される（ステップＳ６０２）。
【００８６】
デジマーケットでは、通常の商取引と同様に、購入応答の履歴を管理しており、いつ、誰に対して、どのような金額で、何を販売したか、の履歴が蓄積されている。この履歴を決済情報として、販売者装置１０６に提供するのである。
【００８７】
このように、本実施形態によれば、商品ファイルのダウンロードのタイミングとライセンス番号の購入のタイミングをずらすことが可能な一方で、商品ファイルそのものを実行することにより、購入者は、商品の識別符号の入力を省略することができる。
【産業上の利用可能性】
【００８８】
本発明によれば、ディジタル情報のダウンロードと購入とのタイミングの自由度が高い電子商取引方法を提供することができる。
【図面の簡単な説明】
【００８９】
【図１】電子商取引が行われるシステムの概要を示す説明図である。
【図２】出店者が新たなディジタル情報を商品として登録する際の処理の様子を示す説明図である。
【図３】購入者がディジタル情報を購入する際の処理の様子を示す説明図である。
【図４】出店者がデジマーケットとの提携を始める際の処理の様子を示す説明図である。
【図５】出店者が新たなディジタル情報を商品として登録する際の処理の詳細を示す説明図である。
【図６】お客様がディジタル情報を購入する際の処理の詳細を示す説明図である。
【図７】出店者がデジマーケットに決済の状況を確認する際の処理の様子を示す説明図である。
【符号の説明】
【００９０】
１０１  電子商取引システム
１０２  端末装置（購入者／お客様）
１０３  提供サーバ装置（出店者）
１０４  決済サーバ装置（デジマーケット）
１０５  インターネット
【図１】
2007249621.tif 000003
【図２】
2007249621.tif 000004
【図３】
2007249621.tif 000005
【図４】
2007249621.tif 000006
【図５】
2007249621.tif 000007
【図６】
2007249621.tif 000008
【図７】
2007249621.tif 000009